【事件の表示】
　平成１１年特許願第２９４７１９号「遊技機」拒絶査定不服審判事件〔平成１３年　４月２４日出願公開、特開２００１−１１２９１３〕について、次のとおり審決する。
【結　論】
　本件審判の請求は、成り立たない。
【理　由】
１．手続きの経緯
本願は、平成１１年１０月１８日に出願されたものであって、平成１５年１２月１１日付の拒絶理由が通知され、平成１６年１月３０日に手続補正書並びに意見書が提出され、平成１６年６月４日付の拒絶理由が通知され、平成１６年６月２９日に手続補正書並びに意見書が提出され、平成１６年７月１６日付けで拒絶査定がなされ、これに対し、平成１６年８月２５日に審判請求がなされるとともに、平成１６年９月２４日付で手続補正がなされたものである。
　平成１６年９月２４日付の手続補正を以下、「第一補正」という。
　　　　　　　　　　　　　　　　　　　　　　　　　　　
２．第一補正についての補正却下の決定　　　　　　　　　　　　　　　　　　　　　　　　　　　　　　　　
［補正却下の決定の結論］
　　第一補正を却下する。
　　　　　　　　　　　　　　　　　　　　　　　　　　　
［理由］
（１）補正の内容
　第一補正は、以下の補正事項ａ〜ｉを含むものである。
１）補正事項ａ
　補正事項ａは、平成１６年１月３０日付の手続補正による特許請求の範囲の請求項１である
　『複数種の図柄を変動表示可能な複数の図柄表示部を有し、前記図柄表示部の図柄変動を開始するスタート手段に基づいて入賞フラグを発生させる入賞抽選手段と、前記図柄表示部の変動図柄を前記入賞フラグに対応して予め設定の停止図柄で停止させる
ことが可能である
としてのストップ釦の数は、
であり、
予め決められた順序の普通操作順序で前記ストップ釦を押すと、
前記入賞フラグが成立しないときに
前記普通操作順序と異なる順序で前記ストップ釦を押すと、
　『複数種の図柄を変動表示可能な複数の図柄表示部を有し、前記図柄表示部の図柄変動を開始するスタート手段に基づいて入賞フラグを発生させる入賞抽選手段と、前記図柄表示部の変動図柄を前記入賞フラグに対応して予め設定の停止図柄で停止させることが可能であるストップ手段を備える遊技機であって、前記ストップ手段としてのストップ釦の数は、図柄表示部の数と同数又は異なる数であり、前記入賞フラグが成立しているときに、予め決められた
順序ではない変則操作順序でストップ釦を押すと、特別報知手段を介して「入賞フラグが成立している」旨を報知するか、或は、停止図柄が前記入賞フラグが成立しないときに表示されない組合せで報知する
　補正するものである。
　　　　　　　　　　　　　　　　　　　　　　　　　
２）補正事項ｂ
　補正事項ｂは、平成１６年１月３０日付の手続補正による特許請求の範囲の請求項３である
　「複数種の図柄を変動表示可能な複数の図柄表示部を有し、前記図柄表示部の図柄変動を開始するスタート手段に基づいて入賞フラグを発生させる入賞抽選手段と、前記図柄表示部の変動図柄を前記入賞フラグに対応して予め設定の停止図柄で停止させる
ことが可能である
としてのストップ釦の数は、
であり、
前記入賞フラグが成立しないとき
前記入賞フラグが成立しないとき
特徴とする遊技機
「複数種の図柄を変動表示可能な複数の図柄表示部を有し、前記図柄表示部の図柄変動を開始するスタート手段に基づいて入賞フラグを発生させる入賞抽選手段と、前記図柄表示部の変動図柄を前記入賞フラグに対応して予め設定の停止図柄で停止させることが可能であるストップ手段を備える遊技機であって、前記ストップ手段としてのストップ釦の数は、図柄表示部の数と同数又は異なる数であり、前記入賞フラグが成立しているときには、前記ストップ手段を操作すると、前記入賞フラグが成立しないときと異なる図柄表示部が停止すると共に、特別報知手段には前記入賞フラグが成立しないときと
異なる態様で
　補正するものである。
　　　　　　　　　　　　　　　　　　　　　　　　
３）補正事項ｃ
　補正事項ｃは、平成１６年１月３０日付の手続補正による特許請求の範囲の請求項４である
　「複数種の図柄を変動表示可能な複数の図柄表示部を有し、前記図柄表示部の図柄変動を開始するスタート手段に基づいて入賞フラグを発生させる入賞抽選手段と、前記図柄表示部の変動図柄を前記入賞フラグに対応して予め設定の停止図柄で停止させる
ことが可能である
としてのストップ釦の数は、
前記入賞フラグが成立しないとき
前記入賞フラグが成立しないとき
　「複数種の図柄を変動表示可能な複数の図柄表示部を有し、前記図柄表示部の図柄変動を開始するスタート手段に基づいて入賞フラグを発生させる入賞抽選手段と、前記図柄表示部の変動図柄を前記入賞フラグに対応して予め設定の停止図柄で停止させることが可能であるストップ手段を備える遊技機であって、前記ストップ手段としてのストップ釦の数は、図柄表示部の数と同数又は異なる数であり、入賞フラグが不成立のときにストップ手段を操作すると、前記入賞フラグが成立しないときと異なる図柄表示部が停止すると共に、特別報知手段には前記入賞フラグが成立しないときと
同じ態様で
　補正するものである。
　　　　　　　　　　　　　　　　　　　　　　　　　
４）補正事項ｄ
　　補正事項ｄは、本願の願書に最初に添付された明細書（以下、「当初明細書」という。）の発明の詳細な説明の
　「【０００４】【課題を解決するための手段】請求項１の遊技機は、複数種の図柄を変動表示可能な複数の図柄表示部を有し、前記図柄表示部の図柄変動を開始するスタート手段に基づいて入賞フラグを発生させる入賞抽選手段と、前記図柄表示部の変動図柄を前記入賞フラグに対応して予め設定の停止図柄で停止させるストップ手段を備え、ストップ手段の数は、図柄表示部の数と同数又は異なる数を備え、入賞フラグが成立しているときには、前記ストップ手段を普通操作順序で行うと、停止図柄が普通のゲーム（入賞フラグ不成立）で示されない組合せとなり、一方、変則順序で操作すると特別報知手段を介して報知する。そのため、入賞が成立しているか否かを、変則順序でストップ釦を操作することによって知ることができるので、遊技に熟知していない遊技者にとっても、熟知している遊技者にとっても有効な手段である。」を、
　「【０００４】【課題を解決するための手段】請求項１の遊技機は、複数種の図柄を変動表示可能な複数の図柄表示部を有し、前記図柄表示部の図柄変動を開始するスタート手段に基づいて入賞フラグを発生させる入賞抽選手段と、前記図柄表示部の変動図柄を前記入賞フラグに対応して予め設定の停止図柄で停止させるストップ手段を備えている。又、ストップ手段の数は、図柄表示部の数と同数又は異なる数を備えている。そして、入賞フラグが成立しているときには、予め決められた順序ではない変則操作順序でストップ釦を押すと、特別報知手段を介して「入賞フラグが成立している」旨を報知するか、或は、停止図柄が普通のゲーム（前記入賞フラグが成立しない）のときに表示されない組合せで報知する。そのため、入賞が成立しているか否かを、変則順序でストップ釦を操作することによって知ることができるので、遊技に熟知していない遊技者にとっても、熟知している遊技者にとっても有効な手段である。」と、
　補正するものである。　
　　　　　　　　　　　　　　　　　　　　　　　　　
５）補正事項ｅ
　　補正事項ｅは、当初明細書の発明の詳細な説明の
　「【０００５】又、請求項２の遊技機は、複数種の図柄を変動表示可能な複数の図柄表示部を有し、前記図柄表示部の図柄変動を開始するスタート手段に基づいて入賞フラグを発生させる入賞抽選手段と、前記図柄表示部の変動図柄を前記入賞フラグに対応して予め設定の停止図柄で停止させるストップ手段を備え、ストップ手段の数は、図柄表示部の数と同数又は異なる数を備え、入賞フラグが成立しているときには、ストップ手段を操作すると、普通のゲーム（入賞フラグ不成立）と異なる図柄表示部が停止する。従って、遊技者は、ストップ手段に対応して、普通のゲーム（入賞フラグ不成立）と異なる図柄表示部が停止することによって、入賞フラグが成立したことを知ることができる。」を、
　「【０００５】又、請求項２の遊技機は、複数種の図柄を変動表示可能な複数の図柄表示部を有し、前記図柄表示部の図柄変動を開始するスタート手段に基づいて入賞フラグを発生させる入賞抽選手段と、前記図柄表示部の変動図柄を前記入賞フラグに対応して予め設定の停止図柄で停止させるストップ手段を備えている。又、ストップ手段の数は、図柄表示部の数と同数又は異なる数を備えている。そして、入賞フラグが成立しているときには、ストップ手段を操作すると、普通のゲーム（入賞フラグ不成立）と異なる図柄表示部が停止する。従って、遊技者は、ストップ手段に対応して、普通のゲーム（入賞フラグ不成立）と異なる図柄表示部が停止することによって、入賞フラグが成立したことを知ることができる。」と、
　補正するものである。　
　　　　　　　　　　　　　　　　　　　　　　　　　　　　　　　
６）補正事項ｆ
　補正事項ｆは、当初明細書の発明の詳細な説明の
　「【０００６】請求項３の遊技機は、複数種の図柄を変動表示可能な複数の図柄表示部を有し、前記図柄表示部の図柄変動を開始するスタート手段に基づいて入賞フラグを発生させる入賞抽選手段と、前記図柄表示部の変動図柄を前記入賞フラグに対応して予め設定の停止図柄で停止させるストップ手段を備えている。そして、ストップ手段の数は、図柄表示部の数と同数又は異なる数を備えていて、入賞フラグが成立しているときには、前記ストップ手段を操作すると、普通のゲーム（入賞フラグ不成立）と異なる図柄表示部が停止すると共に、特別報知手段には普通ゲーム時と同じ態様で報知する可能性がある。従って、遊技者は、入賞フラグが成立していることを、ストップ手段に対応して停止する図柄表示部が普通と異なることで知ることができる場合があるが、特別報知手段を介しては知ることができない場合があり、ゲームの多様化を図ることができる。又、請求項４の遊技機は、入賞フラグが不成立のとき、ストップ手段を操作すると、普通のゲーム（入賞フラグ不成立）と異なる図柄表示部が停止すると共に、特別報知手段には普通ゲーム時と異なる態様で報知する場合があるので、遊技の多様化を図ることができる。」を、
　「【０００６】請求項３の遊技機は、複数種の図柄を変動表示可能な複数の図柄表示部を有し、前記図柄表示部の図柄変動を開始するスタート手段に基づいて入賞フラグを発生させる入賞抽選手段と、前記図柄表示部の変動図柄を前記入賞フラグに対応して予め設定の停止図柄で停止させるストップ手段を備えている。そして、ストップ手段の数は、図柄表示部の数と同数又は異なる数を備えていて、入賞フラグが成立しているときには、前記ストップ手段を操作すると、普通のゲーム（入賞フラグ不成立）と異なる図柄表示部が停止すると共に、特別報知手段には普通ゲーム時と異なる態様で報知する。従って、遊技者は、入賞フラグが成立していることを、ストップ手段に対応して停止する図柄表示部が普通と異なることで知ることができるし、特別報知手段を介して知ることができる。又、請求項４の遊技機は、入賞フラグが不成立のとき、ストップ手段を操作すると、普通のゲーム（入賞フラグ不成立）と異なる図柄表示部が停止すると共に、特別報知手段には普通ゲーム時と同じ態様で報知する場合があるので、遊技の多様化を図ることができる。」と、
　補正するものである。
　　　　　　　　　　　　　　　　　　　　　　　　　　　　　　　
７）補正事項ｇ
　補正事項ｇは、当初明細書の発明の詳細な説明の
　『【００１５】前記ステップ２１に於て、入賞フラグが成立（Ｆ＝２）しているときには、ステップ３１に進み、ストップ釦１０Ａが押されているときには、前記ステップ１６における選択値Ｋ0による、図２（Ｃ）の表に対応する図柄表示部の図柄を停止表示する（Ｓ３２）。次に、ストップ釦１０Ｂが押されたとき、ストップ釦１０Ｃが押されたときも同様に、選択値Ｋ0による、図２（Ｃ）の表に対応する図柄表示部の図柄を停止表示する（Ｓ３３、Ｓ３４、Ｓ３５、Ｓ３６）。例えば、Ｋ0が「１」を選択したときには、ストップ手段１０Ｂは図柄表示部６Ａを、ストップ手段１０Ａは図柄表示部６Ｂを、ストップ手段１０Ｃは図柄表示部６Ｃを停止させる。そして、入賞中であるＦｘを１にセットする（Ｓ３７）。そして、全ての図柄が停止表示していないときにはステップ２１に戻り、停止表示の場合には、図柄表示部が停止している状態である回転指示変数Ｈａを０にセットして、この処理を終了する（Ｓ２９）。尚、前記ステップ３７の実行に続いて、特別報知手段２０に入賞フラグが成立（Ｆ＝２）した旨を、遊技者に報知するように構成してもい。』を、
　『【００１５】前記ステップ２１に於て、入賞フラグが成立（Ｆ＝２）しているときには、ステップ３１に進み、ストップ釦１０Ａが押されているときには、前記ステップ１６における選択値Ｋ0による、図２（Ｃ）の表に対応する図柄表示部の図柄を停止表示する（Ｓ３２）。次に、ストップ釦１０Ｂが押されたとき、ストップ釦１０Ｃが押されたときも同様に、選択値Ｋ0による、図２（Ｃ）の表に対応する図柄表示部の図柄を停止表示する（Ｓ３３、Ｓ３４、Ｓ３５、Ｓ３６）。例えば、Ｋ0が「１」を選択したときには、ストップ手段１０Ｂは図柄表示部６Ａを、ストップ手段１０Ａは図柄表示部６Ｂを、ストップ手段１０Ｃは図柄表示部６Ｃを停止させる。そして、入賞中であるＦｘを１にセットする（Ｓ３７）。そして、全ての図柄が停止表示していないときにはステップ２１に戻り、停止表示の場合には、図柄表示部が停止している状態である回転指示変数Ｈａを０にセットして、この処理を終了する（Ｓ２９）。尚、前記ステップ３７の実行に続いて、特別報知手段２０に入賞フラグが成立（Ｆ＝２）した旨を、遊技者に報知するように構成してもよい。』と、
　補正するものである。　
　　　　　　　　　　　　　　　　　　　　　　　　　　　　　　　　
８）補正事項ｈ
　補正事項ｈは、当初明細書の発明の詳細な説明の
　「【００１６】以上のように、入賞フラグが成立（Ｆ＝２）いないときと成立しているときとで、ストップ釦１０Ａ〜１０Ｃに対応する図柄表示部６Ａ〜６Ｃが異なる。従って、ゲームを熟知している遊技者は、この停止図柄で入賞フラグが成立であることを推測できる楽しみがあるが、ゲームに熟知していない遊技者に対しては、ストップ釦１０Ａ〜１０Ｃと図柄表示部６Ａ〜６Ｃの対応が、普通のゲーム（入賞フラグ不成立）と異なることによって、容易に判るので、不利益にならない。従って、ゲームに熟知している遊技者と熟知していない遊技者に対して、同じ機種として提供することができる。」を、
　「【００１６】以上のように、入賞フラグが成立（Ｆ＝２）していないときと成立しているときとで、ストップ釦１０Ａ〜１０Ｃに対応する図柄表示部６Ａ〜６Ｃが異なる。　従って、ゲームを熟知している遊技者は、この停止図柄で入賞フラグが成立であることを推測できる楽しみがあるが、ゲームに熟知していない遊技者に対しては、ストップ釦１０Ａ〜１０Ｃと図柄表示部６Ａ〜６Ｃの対応が、普通のゲーム（入賞フラグ不成立）と異なることによって、容易に判るので、不利益にならない。従って、ゲームに熟知している遊技者と熟知していない遊技者に対して、同じ機種として提供することができる。」と、
　補正するものである。
　　　　　　　　　　　　　　　　　　　　　　　　　　　　　　　　　　
９）補正事項ｉ
　補正事項ｉは、平成１６年６月２９日付の手続補正による明細書の発明の詳細な説明の　
　『【００３１】又、前記各実施の形態の他に、制御フロー図を略すが、普通のゲーム（入賞フラグ不成立）のとき、ストップ釦を「１０Ａ、１０Ｂ、１０Ｃ」の普通操作順序に押しても、ストップ釦１０Ｃ、１０Ｂ、１０Ａ（或いは、１０Ｂ、１０Ａ、１０Ｃ）のように、変則順序で押しても、特別報知手段２０には報知しない。しかし、入賞フラグＦが成立（Ｆ＝２）しているとき、ストップ釦１０Ａ、１０Ｂ、１０Ｃの普通操作順序に押しても、特別報知手段２０にその旨を報知しないが、変則順序でストップ釦を押すと、特別報知手段２０に入賞フラグＦが成立（Ｆ＝２）した旨を報知するように構成してもよいし、又、入賞フラグ（Ｆ）が成立（Ｆ＝２）しているとき、図柄表示部６Ａ〜６Ｄには、普通のゲーム（入賞フラグ不成立）では表示されない図柄の組合せで、遊技者に報知するように構成してもよい。』を、
　『【００３１】又、前記各実施の形態の他に、制御フロー図を略すが、普通のゲーム（入賞フラグ不成立）のとき、ストップ釦を「１０Ａ、１０Ｂ、１０Ｃ」の普通操作順序に押しても、ストップ釦１０Ｃ、１０Ｂ、１０Ａ（或いは、１０Ｂ、１０Ａ、１０Ｃ）のように、変則順序で押しても、特別報知手段２０には報知しない。しかし、入賞フラグＦが成立（Ｆ＝２）しているとき、ストップ釦１０Ａ、１０Ｂ、１０Ｃの普通操作順序に押しても、特別報知手段２０にその旨を報知しないが、変則順序でストップ釦を押すと、特別報知手段２０に入賞フラグＦが成立（Ｆ＝２）した旨を報知するように構成してもよい。又、入賞フラグ（Ｆ）が成立（Ｆ＝２）しているとき、図柄表示部６Ａ〜６Ｄには、普通のゲーム（入賞フラグ不成立）では表示されない図柄の組合せで、遊技者に報知するように構成してもよい。』と、
　補正するものである。　
　　　　　　　　　　　　　　　　　　　　　　　　　　　　　　　　　
（２）補正事項の検討
１）補正事項ａについて
　補正事項ａの『前記入賞フラグが成立しているときに、予め決められた順序ではない変則操作順序でストップ釦を押すと、特別報知手段を介して「入賞フラグが成立している」旨を報知するか、或は、停止図柄が前記入賞フラグが成立しないときに表示されない組合せで報知する』の内の「予め決められた順序でない変則操作順序でストップ釦を押すと、」なる構成を付加した点は、平成１６年１月３０日付で手続補正された請求項１の特許請求の範囲に記載された発明の『前記入賞フラグが成立しているときに、予め決められた順序の普通操作順序で前記ストップ釦を押すと、停止図柄が前記入賞フラグが成立しないときに表示されない組合せとなり、一方、前記普通操作順序と異なる順序で前記ストップ釦を押すと、特別報知手段を介して「入賞フラグが成立している」旨を報知する』を概念的に下位化したものでないので、補正事項ａは、特許請求の範囲の削除、特許請求の範囲の減縮、誤記の訂正および明瞭でない記載の釈明のいずれかを目的とするものということができず、また、当初明細書に記載した事項の範囲内においてしたものでない。
　　　　　　　　　　　　　　　　　　　　　　　　　　　　　　　　
２）補正事項ｂについて
　補正事項ｂの「入賞フラグが成立しているときには、前記ストップ手段を操作すると、前記入賞フラグが成立しないときと異なる図柄表示部が停止すると共に、特別報知手段には前記入賞フラグが成立しないときと異なる態様で報知する」なる構成は、平成１６年１月３０日付で手続補正された請求項３の「同じ態様」を「異なる態様」としたものであって、両者は全く異なるものを意味するのであるから、補正事項ｂに係る補正は、特許請求の範囲の削除、特許請求の範囲の減縮、誤記の訂正および明瞭でない記載の釈明のいずれかを目的とするものということができず、また、当初明細書に記載した事項の範囲内においてしたものでない。
　　　　　　　　　　　　　　　　　　　　　　　　　　　　　　　　　
３）補正事項ｃについて
　補正事項ｃの「入賞フラグが不成立のときにストップ手段を操作すると、前記入賞フラグが成立しないときと異なる図柄表示部が停止すると共に、特別報知手段には前記入賞フラグが成立しないときと同じ態様で報知する可能性がある」なる構成は、平成１６年１月３０日付で手続補正された請求項４の「異なる態様」を「同じ態様」としたものであって、両者は全く異なるものを意味するのであるから、補正事項ｃは、特許請求の範囲の削除、特許請求の範囲の減縮、誤記の訂正および明瞭でない記載の釈明のいずれかを目的とするものということができず、また、当初明細書に記載した事項の範囲内においてしたものでない。
　　　　　　　　　　　　　　　　　　　　　　　　　　　　　　
４）補正事項ｄ〜ｆについて
　補正事項ｄ〜ｆは、上記補正事項ａ〜ｃに伴う補正である。そして、上記補正事項ａ〜ｃに係る補正が、特許請求の範囲の削除、特許請求の範囲の減縮、誤記の訂正および明瞭でない記載の釈明のいずれかを目的とするものでないから、同様の理由により、補正事項ｄ〜ｆは、特許請求の範囲の削除、特許請求の範囲の減縮、誤記の訂正および明瞭でない記載の釈明のいずれかを目的とする補正に伴う補正ということができず、また、当初明細書に記載した事項の範囲内においてしたものでない。
　　　　　　　　　　　　　　　　　　　　　　　　　　　　　　　
５）補正事項ｇ〜ｉについて
　補正事項ｇ〜ｈは、誤記の訂正を目的とする補正であり、補正事項ｉは、明瞭でない記載の釈明を目的とする補正であり、また、当初明細書に記載した事項の範囲内においてしたものといえる。
　　　　　　　　　　　　　　　　　　　　　　　　　　　　　
６）まとめ
　以上のとおり、補正事項ａ〜ｆは、平成１８年改正前特許法第１７条の２第４項各号に掲げる請求項の削除、特許請求の範囲の限定的減縮、誤記の訂正、および明りょうでない記載の釈明のいずれをも目的とするものではなく、また、当初明細書に記載した事項の範囲内においてしたものでないから、第一補正は、平成１８年改正前特許法第１７条の２第４項の規定に反する補正と認められ、同法第１７条の２第５項の規定において準用する同法第１２６条第５項の規定に違反するので、同法第１５９条第１項の規定において読み替えて準用する同法第５３条第１項の規定により却下すべきものである。
　　　　　　　　　　　　　　　　　　　　　　　　　　　　　　　
３．本願発明について
　上記２．第一補正についての補正却下の決定のとおり、平成１６年９月２４日付の手続補正は却下されたので、平成１６年１月３０日付手続補正により補正された特許請求の範囲の請求項１〜４に係る発明は、その請求項１〜４に記載された事項により特定されるとおりのものであり、その請求項１に係る発明は、その請求項１に記載された事項により特定される以下のとおりのものである
　『複数種の図柄を変動表示可能な複数の図柄表示部を有し、前記図柄表示部の図柄変動を開始するスタート手段に基づいて入賞フラグを発生させる入賞抽選手段と、前記図柄表示部の変動図柄を前記入賞フラグに対応して予め設定の停止図柄で停止させることが可能であるストップ手段を備える遊技機であって、前記ストップ手段としてのストップ釦の数は、図柄表示部の数と同数又は異なる数であり、前記入賞フラグが成立しているときに、予め決められた順序の普通操作順序で前記ストップ釦を押すと、停止図柄が前記入賞フラグが成立しないときに表示されない組合せとなり、一方、前記普通操作順序と異なる順序で前記ストップ釦を押すと、特別報知手段を介して「入賞フラグが成立している」旨を報知することを特徴とする遊技機。』（以下、「本願発明」といい、請求項１に係る発明の補正を「第二補正」という）。
　　　　　　　　　　　　　　　　　　　　　　　　　　　　　　　　　
（１）第二補正について
　第二補正は、当初明細書の特許請求の範囲の請求項１に係る発明である
　「複数種の図柄を変動表示可能な複数の図柄表示部を有し、前記図柄表示部の図柄変動を開始するスタート手段に基づいて入賞フラグを発生させる入賞抽選手段と、前記図柄表示部の変動図柄を前記入賞フラグに対応して予め設定の停止図柄で停止させるストップ手段を備える遊技機であって、前記ストップ手段の数は、図柄表示部の数と同数又は異なる数を備え、前記入賞フラグが成立しているときには、前記ストップ手段を普通操作順序で行うと、停止図柄が普通のゲーム（入賞フラグ不成立）で示されない組合せとなり、一方、変則順序で操作すると特別報知手段を介して報知することを特徴とする遊技機。」を、
　上記の「３．本願発明について」における「本願発明」のとおりに補正するものである。
　　　　　　　　　　　　　　　　　　　　　　
（２）第二補正の内容の検討
　平成１６年７月１６日付の拒絶査定の備考に示されたように、当初明細書の発明の詳細な説明の「【００３０】以上の第１〜第３の実施の形態のように、ストップ釦（手段）の数と図柄表示部の数が、同じ或いは異なっているとき、入賞フラグが成立しているときと普通のゲーム（入賞フラグ不成立）とで、異なる対応で構成することによって、遊技者は、ゲームに熟知していなくても、容易に判るので不利益の解消を図ることができる。」、および「【００３１】　又、前記各実施の形態の他に、制御フロー図を略すが、普通のゲーム（入賞フラグ不成立）のとき、ストップ釦を「１０Ａ、１０Ｂ、１０Ｃ」の普通操作順序に押しても、ストップ釦１０Ｃ、１０Ｂ、１０Ａ（或いは、１０Ｂ、１０Ａ、１０Ｃ）のように、変則順序で押しても、特別報知手段２０には報知しない。しかし、入賞フラグＦが成立（Ｆ＝２）しているとき、ストップ釦１０Ａ、１０Ｂ、１０Ｃの普通操作順序に押しても、特別報知手段２０にその旨を報知しないが、変則順序でストップ釦を押すと、特別報知手段２０に入賞フラグＦが成立（Ｆ＝２）した旨を報知するように構成してもよい。又、入賞フラグ（Ｆ）が成立（Ｆ＝２）しているとき、図柄表示部６Ａ〜６Ｄには、普通のゲーム（入賞フラグ不成立）では表示されない図柄の組合せで、遊技者に報知するように構成してもよい。」なる記載に基づけば、当初明細書には、入賞フラグが成立していないときに、普通操作順序で操作しても、変則操作順序で操作しても、特別報知手段２０は入賞フラグＦが成立した旨を報知せず、一方、入賞フラグが成立しているときに、普通操作順序で操作した場合には、特別報知手段は入賞フラグが成立したことを報知せず、変則操作順序で操作した場合には、特別報知手段が入賞フラグが成立したことを報知し、また、入賞フラグが成立しているときには、入賞フラグが成立していないときに表示されない図柄の組合せで報知することが示されているにすぎない。
　そうすると、当初明細書又は図面には、入賞フラグが成立しているときに、「普通操作順序で操作すること」と「入賞フラグが成立していないときに表示されない図柄の組合せで報知すること」とを関連付ける記載はなく、かつ、示唆もされておらず、当業者にとって自明な事項とも認められない。
　したがって、第二補正は、当初明細書に記載した事項の範囲内のものということはできない。
　　　　　　　　　　　　　　　　　　　　　　　　　　　　　
（３）まとめ
　したがって、第二補正は、平成１６年７月１６日付の拒絶査定の備考において示したように、平成１６年６月４日付の拒絶理由通知書に記載した理由のとおり、当初明細書又は図面に記載した事項の範囲内においてなしたものではない。
　　　　　　　　　　　　　　　　　　　　　　　　　　　　　
（４）むすび
　以上のとおりであるから、当初明細書又は図面について平成１６年１月３０日付手続補正によりなされた第二補正が、特許法第１７条の２第３項に規定する要件を満たしていないから、本願発明は、特許を受けることができないものである。
　したがって、他の請求項について検討するまでもなく本願は拒絶されるべきものである。
　よって、結論のとおり審決する。